(57)【要約】本発明は、移動端末(100)からリモート装置へアクティブなメディアファイル(150)を即時送信するための方法及び装置を記載する。本発明によれば、移動端末(100)は、ユーザが定義した即時送信アドレスを移動端末(100)のメモリ(116)に保存する。保存された即時送信アドレスは、電子メールアドレス、電話番号など、移動端末(100)の即時送信機能(115)と関連づけられるアドレスを表す。例えば、写真を撮ったり、オーディオメッセージを録音したり、ビデオ映像を記録したり、テキストメッセージを作成したりすることによりメディアファイルをアクティブにした後、ユーザが即時送信機能(115)を起動すると、移動端末(100)はアクティブなメディアファイル(150)を保存された即時送信アドレスへ自動送信する。
2008544693.tif 000002
【特許請求の範囲】
【請求項１】
ユーザが定義した即時送信アドレスを保存するメモリ(116)と、
即時送信機能(115)のユーザによる起動に応答して、アクティブなメディアファイル(150)を前記即時送信アドレスへ自動送信するように構成された送受信機回路(118)とを有することを特徴とする移動端末(100)。
【請求項２】
前記メモリ(116)が、メディアファイルの異なる形式に対して異なる即時送信アドレスを保存するように構成されることを特徴とする請求項１記載の移動端末(100)。
【請求項３】
前記送受信機回路(118)が、前記アクティブなメディアファイル(150)のメディア形式に対応する前記即時送信アドレスへ前記アクティブなメディアファイル(150)を自動送信するように構成されることを特徴とする請求項２記載の移動端末(100)。
【請求項４】
前記メモリ(116)が、異なる移動端末アプリケーションに対して異なる即時送信アドレスを保存するように構成されることを特徴とする請求項１記載の移動端末(100)。
【請求項５】
前記送受信機回路(118)が、現在の移動端末アプリケーションに対応する前記即時送信アドレスへ前記アクティブなメディアファイル(150)を自動送信するように構成されることを特徴とする請求項４記載の移動端末(100)。
【請求項６】
前記送受信機回路(118)に動作可能なように接続される即時送信制御手段(144)をさらに有し、前記即時送信制御手段(144)のユーザによる起動が、前記即時送信機能(115)を起動させることを特徴とする請求項１記載の移動端末(100)。
【請求項７】
前記即時送信制御手段(144)は、前記移動端末(100)に配置された制御ボタン(144)及びソフトキー(144)のいずれかを有することを特徴とする請求項６記載の移動端末(100)。
【請求項８】
前記即時送信制御手段(144)が、ユーザからの即時送信音声コマンドを認識するように構成された音声認識回路(124)を有することを特徴とする請求項６記載の移動端末(100)。
【請求項９】
前記アクティブなメディアファイル(150)が、アクティブな画像、テキストファイル、ビデオファイル及びオーディオメディアファイルの少なくとも１つを含むことを特徴とする請求項１記載の移動端末(100)。
【請求項１０】
前記ユーザが定義した即時送信アドレスが、電子メールアドレス、電話番号及びＵＲＬの少なくとも１つを含むことを特徴とする請求項１記載の移動端末(100)。
【請求項１１】
前記移動端末(100)がセルラ電話機を含むことを特徴とする請求項１記載の移動端末(100)。
【請求項１２】
移動端末(100)からマルチメディアメッセージを自動送信するための方法であって、
ユーザが定義した即時送信アドレスを移動端末(100)のメモリ(116)に保存するステップと、
即時送信機能(115)のユーザによる起動に応答して、アクティブなメディアファイル(150)を前記即時送信アドレスへ自動送信するステップとを有することを特徴とする方法。
【請求項１３】
ユーザが定義した即時送信アドレスを保存するステップが、メディアファイルの異なる形式に対して異なる即時送信アドレスを保存するステップを有することを特徴とする請求項１２記載の方法。
【請求項１４】
前記アクティブなメディアファイル(150)を自動送信するステップが、前記アクティブなメディアファイル(150)のメディア形式に対応する前記即時送信アドレスへ前記アクティブなメディアファイル(150)を自動送信するステップを有することを特徴とする請求項１３記載の方法。
【請求項１５】
ユーザが定義した即時送信アドレスを保存するステップが、異なる移動端末アプリケーションに対して異なる即時送信アドレスを保存するステップを有することを特徴とする請求項１２記載の方法。
【請求項１６】
前記アクティブなメディアファイル(150)を自動送信するステップが、現在の移動端末アプリケーションに対応する前記即時送信アドレスへ前記アクティブなメディアファイル(150)を自動送信するステップを有することを特徴とする請求項１５記載の方法。
【請求項１７】
前記アクティブなメディアファイル(150)が、現在ユーザに出力されている出力メディアファイルを含むことを特徴とする請求項１２記載の方法。
【請求項１８】
前記出力メディアファイルが、ユーザに出力されるテキストファイル、画像ファイル、ビデオファイル及びオーディオファイルの少なくとも１つを含むことを特徴とする請求項１７記載の方法。
【請求項１９】
前記アクティブなメディアファイル(150)が、前記移動端末(100)に現在入力されている入力メディアファイルを含むことを特徴とする請求項１２記載の方法。
【請求項２０】
前記入力ファイルが、現在記録されている画像及びオーディオファイルの少なくとも１つを含むことを特徴とする請求項１９記載の方法。
【請求項２１】
前記アクティブなメディアファイル(150)を自動送信するステップが、アクティブなテキスト、画像、ビデオ及びオーディオファイルの少なくとも１つを自動送信するステップを含むことを特徴とする請求項１２記載の方法。
【請求項２２】
前記ユーザが定義した即時送信アドレスを保存するステップが、電子メールアドレス、電話番号及びＵＲＬの少なくとも１つを保存するステップを含むことを特徴とする請求項１２記載の方法。
【請求項２３】
前記移動端末(100)に関連する即時送信制御手段(144)の起動によって前記即時送信機能(115)を起動させるステップをさらに有することを特徴とする請求項１２記載の方法。
【発明の詳細な説明】
【背景技術】
【０００１】
本発明は概して無線通信に関し、特には移動端末から送信されるメディアファイルに関する。
【０００２】
セルラ電話機、携帯データアシスタントなどのような移動端末は、この数年でユビキタスになってきた。これは部分的には大部分の移動端末の小型化及び機能の増加に依るものである。例えば、従前の電話通信に加え、最近の移動端末は、テキストファイル、オーディオファイル、ビデオ、写真等をリモート端末へ送信及び／又は保存するオプションを消費者に提供している。しかし、ユーザは、電子メールインタフェース、ＭＭＳ（マルチメディアシステム）インタフェース、及び／又はアドレス帳など、メディアファイルを送信するのに必要なツールにアクセスするために、複雑なメニューシステム及びサブメニューを操作しなければならない。そのような操作は、特にユーザがたびたび複数のマルチメディアファイルを同一のアドレスへ送信する際には面倒なものとなりうる。
【発明の開示】
【０００３】
本発明は移動端末からリモート装置へアクティブなメディアファイルを直ちに送信するための方法及び装置を含む。本発明の移動端末は、ユーザが即時送信機能を起動した際に、アクティブなメディアファイルを、予め定められた、ユーザが定義したアドレスへ自動送信する。
【０００４】
本発明の例示的な方法は、ユーザが定義した即時送信アドレスを移動端末のメモリに保存するステップを有する。保存された即時送信アドレスは、電子メールアドレス、電話番号などのリモート端末のアドレスを表し、移動端末の即時送信機能と関連づけられる。例えば、写真を撮ったり、オーディオメッセージを録音したり、ビデオファイルを読み出したり、テキストメッセージを作成したりすることにより、メディアファイルをアクティブにした後、ユーザが即時送信機能を起動すると、移動端末はアクティブなメディアファイルを保存された即時送信アドレスへ自動送信する。
【０００５】
本発明の例示的な移動端末は、メモリと送受信機回路を有する。メモリはユーザが定義した即時送信アドレスを保存し、送受信機回路はユーザが即時送信機能を起動した際にアクティブなメディアファイルを保存された即時送信アドレスへ自動送信する。
【発明を実施するための最良の形態】
【０００６】
図１は、本発明に係る例示的な移動端末１００のブロック図である。ここで、本明細書において「移動端末」という単語は、セルラ無線電話機と、セルラ電話機とデータ処理、ファクシミリ及びデータ通信能力の組み合わせであって良いパーソナル通信システム（ＰＣＳ）端末と、無線電話機、ページャ、インターネット／イントラネットアクセス、ウェブブラウザ、スケジュール管理機能、カレンダー及び／又はＧＰＳレシーバを含んでも良い携帯情報端末（ＰＤＡ）と、マルチメディアシステム（ＭＭＳ）メッセージをリモート装置へ送信することのできる無線電話送受信機を含む従前のラップトップ及び／又はパームトップ受信機又は他の電気機器を含みうる。
【０００７】
移動端末１００は、通信回路１１０及びオプションのカメラ回路１０２を有する。通信回路１１０は、任意の既知の手段に従い、無線ネットワークを通じてリモート装置と通信する。カメラ回路１０２は、メモリ１１６へ格納、ディスプレイ１３２へ出力、及び／又は通信回路１１０によって送信するため、静止画及び動画を撮像及び処理する。本技術分野においてカメラ回路１０２は十分知られているため、これ以上の説明は行わない。
【０００８】
通信回路１１０はマイクロプロセッサ１１４、メモリ１１６、送受信機１１８、オーディオ処理回路１２２及びユーザインタフェース１３０を有する。マイクロプロセッサ１１４はメモリ１１６に格納されたプログラムに従って移動端末１００の動作を制御する。マイクロプロセッサ１１４は１つ又は複数のマイクロプロセッサで実現することができる。適切なマイクロプロセッサは、例えば、汎用及び特別用途のマイクロプロセッサと、ディジタル信号プロセッサの両方を含みうる。マイクロプロセッサ１１４は、以下にさらに説明する本発明の即時送信機能を実施するための即時送信機能１１５を含みうる。図１は即時送信機能１１５をマイクロプロセッサ１１４の一部として示しているが、即時送信機能１１５が別のプロセッサで実施されうることは理解されるであろう。
【０００９】
メモリ１１６は移動端末１００におけるメモリの全階層を表しており、ランダムアクセスメモリ（ＲＡＭ）及び読み出し専用メモリ（ＲＯＭ）の両方を含みうる。移動端末の動作に必要なコンピュータプログラム命令及びデータは、ＥＰＲＯＭ、ＥＥＰＲＯＭ及び／又はフラッシュメモリ（登録商標）といった不揮発性メモリに保存され、それらは別個のデバイス、積層素子などにより実施可能である。さらに、メモリ１１６はメモリスティック、ハードディスクドライブ、光ディスクドライブなど、任意の大容量記憶装置を含みうる。
【００１０】
送受信機１１８はアンテナ１２０を介して情報を送受信する。このような情報は、テキスト、画像及び／又はオーディオ情報を含みうるが、それらには限定されない。送受信機１１８は、ＧＳＭ(Global System for Mobile Communications)、ＴＩＡ／ＥＩＡ−１３６、cdmaOne、CDMA2000、ＵＭＴＳ及びＷ−ＣＤＭＡとして一般に知られているような標準規格を含む任意の標準に従って動作しうる、完全に機能するセルラ無線送受信機である。情報の送受信に移動端末を用いることは一般的に知られているので、これ以上の説明は省略する。
【００１１】
ユーザインタフェース１３０は、ユーザが移動端末１００とインタラクションできるように、ディスプレイ１３２、マイク１３４、スピーカ１３６及び制御インタフェース１４０を有する。ディスプレイ１３２はオペレータがメニュー、ステータス情報、静止画像又はビデオ画像、及びアプリケーションデータといった情報を見ることを可能にする。制御インタフェース１４０はオペレータが移動端末１００のメニュー操作、メニューオプションの選択、データ入力及び制御操作を行うことを可能にする。そのため、制御インタフェース１４０は、英数キーパッドのようなキーパッド１４２及び／又はジョイスティック１４６のような操作制御機器を有しうる。さらに、制御インタフェース１４０は音量制御機器、ソフトキー制御機器、カメラ制御機器、フルキーボード等を含みうる。マイク１３４はユーザの音声を電気的なオーディオ信号に変換し、スピーカ１３６はオーディオ信号をユーザが聞くことのできる可聴信号に変換する。オーディオ処理回路１２２は基本的なアナログ出力信号をスピーカ１３６に提供し、マイク１３４からのアナログオーディオ入力を受け付ける。さらに、オーディオ処理回路１２２は任意の既知の手段に従って音声コマンドを処理するための音声認識回路１２４を含みうる。
【００１２】
移動端末１００は通常、ユーザがメディアファイルを受信、生成、及び／又は保存することを可能にするアプリケーションを含んでいる。本明細書において、「メディアファイル」という単語は、ユーザによって提供された任意のデータファイル及び／又はユーザがアクセス可能な任意のデータファイルを意味する。メディアファイルはメモリ１１６に保存されうる。例示的で、否限定的なメディアファイルは、静止画像又は動画像、電子メールメッセージ、テキストファイル及び／又はオーディオファイルを含む。ユーザが他の相手とメディアファイルの共有を希望することはよくあることである。しかし、従来の移動端末は面倒なユーザインタフェースの操作及びアドレス情報の入力を必要としない、メディアファイルを共有するための便利な方法を提供しない。ユーザインタフェースの操作が面倒なため、メディアファイルの共有をあきらめさせることも珍しくない。
【００１３】
本発明は、予め選択されたリモート装置へメディアファイルを送信するための便利な方法及び装置を提供する。本発明によれば、移動端末１００は、即時送信機能のユーザによる起動に応答して、アクティブなメディアファイル１５０を予め定められた即時送信アドレスへ自動送信する。ユーザは即時送信アドレスを入力し、そのアドレスをメモリ１１６へ保存する。即時送信アドレスは任意の形式の通信アドレス、すなわち、電子メールアドレス、電話番号、ＵＲＬ(uniform resource locator)等を含みうる。即時送信アドレスは、即時送信機能１１５のデフォルトアドレスとして機能する。なお、本明細書において「アクティブなメディアファイル」という単語は、現在、ユーザが入力中、ユーザへ出力中、又はユーザがアクセス中である任意のメディアファイルを意味する。例えば、図３Ｂに示すような、ディスプレイ１３２に表示されている静止画は、アクティブなメディアファイル１５０を表す。同様に、図３Ａに示すような、ディスプレイ１３２に表示されているテキストメッセージは、アクティブなメディアファイル１５０を表す。加えて、現在の電子メールメッセージ、メモリ１１６から読み出されている写真、最近録音されたオーディオファイルなどは、異なる形式のアクティブなメディアファイル１５０を表す。
【００１４】
図２は、本発明を実施するための例示的な即時送信方法２００を示す図である。本発明の実施するため、ユーザが即時送信機能１１５を起動する（ブロック２１０）。ユーザは任意の既知の手段を用いて、即時送信機能１１５を起動することができる。本発明のある実施形態によれば、制御インタフェース１４０が即時送信機能１１５を起動するための即時送信制御機器１４４を有しうる。即時送信制御機器１４４は移動端末１００に配置された制御ボタン１４４を含みうる。例えば、図３Ａに示すように、即時送信制御機器１４４は移動端末１００の一側面に配置された制御ボタン１４４を含みうる。或いは、即時送信制御機器１４４は、図３Ｂに示すようなソフトキー１４４を含みうる。別の実施形態において、即時送信制御機器１４４は音声認識機能を実施する音声認識回路１２４を含みうる。音声認識回路はユーザからの即時送信音声コマンドに応答して即時送信機能１１５を起動する。
【００１５】
即時送信機能１１５を起動した後（ブロック２１０）、移動端末１００は即時送信アドレスを読み出し（ブロック２２０）、その時点でアクティブなメディアファイル１５０に基づく即時送信メッセージを自動生成する（ブロック２３０）。アクティブなメディアファイル１５０の形式に応じて、移動端末１００は任意かつ既知のメッセージフォーマット、すなわち、ＭＭＳ、ＳＭＳ（ショートメッセージサービス）、電子メール、音声、等に従って、即時送信メッセージをフォーマットする。そして、移動端末１００は、読み出した即時送信アドレスへ即時送信メッセージを自動送信する（ブロック２４０）。
【００１６】
ここまで、ユーザに指定された１つの即時送信アドレスに関して本発明を説明した。しかし、本発明はこのような形態に限定されない。ある例示的な実施形態によれば、ユーザは、１つ又は複数のメディア形式の各々に対して、異なる即時送信アドレスを指定及び保存することができる。ユーザが即時送信機能１１５を起動すると、送受信機１１８はアクティブなメディアファイル１５０を、そのメディアファイル１５０の形式に対して指定された即時送信アドレスに自動送信する。例えば、ユーザは、友人の電子メールアドレスをテキストメッセージに、勤務先の電話番号(work number)をオーディオファイルに、自宅の電子メールアドレスを写真に、といったように保存することができる。従って、アクティブなメディアファイル１５０が写真である場合、即時送信機能１１５の起動により、送受信機１１８はアクティブなメディアファイル１５０（写真）を、自宅の電子メールアドレスに自動送信する。
【００１７】
他の例示的な実施形態によれば、ユーザは、異なる移動端末アプリケーションに対して異なる即時送信アドレスを指定することができる。ユーザが即時送信機能１１５を起動した際、送受信機１１８はアクティブなメディアファイル１５０を現在のアプリケーションに対して指定されたアドレスへ自動送信する。例えば、ユーザは、友人の電子メールアドレスを電子メールアプリケーションに、勤務先の電話番号をオーディオ録音アプリケーションに、自宅の電子メールアドレスをカメラアプリケーションに、といったように保存することができる。従って、カメラ１０２を使用中、即時送信機能１１５の起動により、送受信機１１８はアクティブなメディアファイル１５０を、自宅の電子メールアドレスに自動送信する。
【００１８】
上述した本発明は、ユーザ及びネットワークプロバイダの両者に利点を提供する。ユーザが即時送信アドレスを移動端末１００に予めプログラムするので、ユーザはアクティブなメディアファイル１５０をメニュー及びサブメニューのシステムを操作する必要なしに即時送信アドレスへ送信することが可能である。その結果、ユーザは写真、オーディオファイル、等を素早く、かつ容易に送信することが可能である。さらに、即時送信機能１１５は、移動端末１００が単独で管理するので、本発明はネットワークの変更を必要としない。
【００１９】
マイクロプロセッサ１１４、メモリ１１６、送受信機１１８等の個別の装置で構成される移動体装置に関して本発明を説明してきた。しかし、通信回路１１０内の１つ又は複数の装置は、特別に設計された特定用途向け集積回路（ＡＳＩＣ）に統合されうることが理解されよう。さらに、本発明は、ＡＳＩＣを含む、ハードウェア及び／又はソフトウェア（ファームウェア、常駐ソフトウェア、マイクロコードなどを含む）において実施されうる。また、本発明は、命令実行システムによって使用もしくは命令実行システムとともに使用するための、コンピュータが利用もしくは読み取り可能なプログラムコードが記録されたコンピュータが利用もしくは読み取り可能な記憶媒体上のコンピュータプログラム製品の形式を取りうる。
【００２０】
本明細書において、コンピュータが利用もしくは読み取り可能な記憶媒体は、命令実行システム、装置又はデバイスによって使用されるか、それらとともに使用されるためのプログラムを格納、保存、通信、伝播又は伝送可能な任意の媒体を含みうる。例示的かつ否限定的な、コンピュータが利用もしくは読み取り可能な媒体は、電気、磁気、光学、電磁気、赤外線又は半導体のシステム、装置、デバイス又は伝播媒体を含みうる。コンピュータが読み取り可能な媒体のより具体的な、かつ網羅的でない例は、以下のものを含むであろう。１つ又は複数の配線を有する電気的接続、可搬形コンピュータフレキシブルディスク、ランダムアクセスメモリ（ＲＡＭ）、読み出し専用メモリ（ＲＯＭ）、消去可能プログラマブル読み出し専用メモリ（ＥＰＲＯＭ又はフラッシュメモリ（登録商標））、光ファイバ、又は可搬形コンパクトディスク読み出し専用メモリ（ＣＤ−ＲＯＭ）。コンピュータが利用もしくは読み取り可能な媒体は、プログラムが印刷された紙や他の好適な媒体でさえ含みうる。これは、例えば光学的スキャンによりその紙や他の媒体からプログラムを取り込み、必要であればその後コンパイル、解釈、又は好適な方法で処理し、コンピュータメモリ内に格納することが可能だからである。
【００２１】
もちろん本発明は、ここで具体的に説明したものとは別の方法で、かつ本発明の本質的な特性の範囲を離れることなく実行可能である。上述の実施形態はあらゆる点において例示的かつ被限定的なものとして見なされるべきものであり、添付の特許請求の範囲の意味及び等価範囲内に含まれる全ての変更はその中に包含されるべきことが意図されている。
【図面の簡単な説明】
【００２２】
【図１】本発明に係る例示的な移動端末のブロック図である。
【図２】本発明を実施するための例示的な方法を示す図である。
【図３Ａ】、
【図３Ｂ】本発明に係る例示的な移動端末を示す図である。
【図１】
2008544693.tif 000003
【図２】
2008544693.tif 000004
【図３Ａ】
2008544693.tif 000005
【図３Ｂ】
2008544693.tif 000006
【国際調査報告】
2008544693.tif 000007
2008544693.tif 000008
2008544693.tif 000009